【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
アイドルモードにある間、サービングセルを識別して、間欠的に監視するプロセッサと、
監視の合間に、前記サービングセルに対するチャネル品質基準を生成するチャネル品質推定器とを備え、
前記プロセッサは更に、前記サービングセルに対するチャネル品質基準に基づいて、前記監視の合間に、隣接セルを探索するか否かを決定し、前記隣接セルが探索されるのであれば、前記サービングセルに対する前記チャネル品質基準に応じて再選択しきい値を変える装置。
【請求項２】
請求項１に記載の装置において、複数の隣接セルを位置決めし、対応する複数のチャネル品質基準を測定するサーチャを更に備え、前記対応するチャネル品質基準が前記再選択しきい値を越える場合、前記プロセッサは、再選択のために、前記複数の隣接セルのうちの一つを特定する装置。
【請求項３】
請求項２に記載の装置において、前記チャネル品質基準は、受信されたパイロットパワー測定値に応じて計算される装置。
【請求項４】
請求項３に記載の装置において、前記隣接セルがＧＳＭセルである場合、前記受信されたパイロットパワー測定値は、キャリアＲＳＳＩ測定値である装置。
【請求項５】
請求項３に記載の装置において、前記隣接セルがＷ−ＣＤＭＡセルである場合、前記受信されたパイロットパワー測定値は、パイロットＲＳＣＰ測定値である装置。
【請求項６】
請求項３に記載の装置において、前記隣接セルがＷ−ＣＤＭＡセルである場合、前記受信されたパイロットパワー測定値は、干渉に対するチップ毎のパイロットエネルギー（ＥＣ／Ｉ０）測定値である装置。
【請求項７】
請求項１に記載の装置において、前記再選択しきい値は、前記サービングセルチャネル品質基準とヒステリシス値との合計である装置。
【請求項８】
サービングセルに対する受信パイロットパワーを決定する信号強度推定器と、
前記受信パイロットパワーとヒステリシス値とに基づいて、再選択しきい値を決定するプロセッサとを備え、前記ヒステリシス値は、
前記受信パイロットパワーが第１のパワーレベルよりも小さい場合に第１の値に設定され、
前記受信パイロットパワーが第２のパワーレベルよりも小さい場合には第２の値に設定され、
前記受信パイロットパワーが前記第１及び第２の受信パイロットパワーレベルの間で変化すると、前記第１及び第２の値の間で線形的に変化される装置。
【請求項９】
アイドルモードにある間、サービングセルを識別して、間欠的に監視するプロセッサと、
監視の合間に、前記サービングセルに対するチャネル品質基準を生成するチャネル品質推定器とを備え、
前記プロセッサは更に、前記サービングセルに対するチャネル品質基準に基づいて、前記監視の合間に、隣接セルを探索するか否かを決定し、前記隣接セルが探索されるのであれば、前記サービングセルに対する前記チャネル品質基準に応じて再選択しきい値を変える無線通信デバイス。
【請求項１０】
無線通信デバイスを含む無線通信システムであって、
アイドルモードにある間、サービングセルを識別して、間欠的に監視するプロセッサと、
監視の合間に、前記サービングセルに対するチャネル品質基準を生成するチャネル品質推定器とを備え、
前記プロセッサは更に、前記サービングセルに対するチャネル品質基準に基づいて、前記監視の合間に、隣接セルを探索するか否かを決定し、前記隣接セルが探索されるのであれば、前記サービングセルに対する前記チャネル品質基準に応じて再選択しきい値を変える無線通信システム。
【請求項１１】
セル再選択を実行する方法であって、
アイドルモードにある間、サービングセルを識別して、間欠的に監視することと、
監視の合間に、前記サービングセルに対するチャネル品質基準を測定することと、
前記サービングセルに対するチャネル品質基準に基づいて、前記監視の合間に、隣接セルを探索するか否かを決定することと、
前記隣接セルが探索されるのであれば、前記サービングセルに対する前記チャネル品質基準に応じて再選択しきい値を変えることと
を備えた方法。
【請求項１２】
請求項１１に記載の方法において、前記チャネル品質基準は、受信されたパイロットパワーの推定値に応じて計算される方法。
【請求項１３】
請求項１２に記載の方法において、前記チャネル品質基準は、受信されたパイロットパワーの推定値である方法。
【請求項１４】
請求項１２に記載の方法において、前記チャネル品質基準は、受信されたパイロットパワーの推定値に、プログラム可能なオフセットを加えた値である方法。
【請求項１５】
請求項１２に記載の方法において、前記再選択しきい値は、前記チャネル品質基準とヒステリシスオフセットとの合計である方法。
【請求項１６】
請求項１５に記載の方法において、前記ヒステリシスオフセットは、受信された第１のパイロットパワーについては第１の値であり、受信された低パイロットパワーについては低い値である方法。
【請求項１７】
アイドルモードにある間、サービングセルを識別して、間欠的に監視する手段と、
監視の合間に、前記サービングセルに対するチャネル品質基準を測定する手段と、
前記サービングセルに対するチャネル品質基準に基づいて、前記監視の合間に、隣接セルを探索するか否かを決定する手段と、
前記隣接セルが探索されるのであれば、前記サービングセルに対する前記チャネル品質基準に応じて再選択しきい値を変える手段と
を備えた装置。
【請求項１８】
無線通信デバイスを含む無線通信システムであって、
アイドルモードにある間、サービングセルを識別して、間欠的に監視する手段と、
監視の合間に、前記サービングセルに対するチャネル品質基準を測定する手段と、
前記サービングセルに対するチャネル品質基準に基づいて、前記監視の合間に、隣接セルを探索するか否かを決定する手段と、
前記隣接セルが探索されるのであれば、前記サービングセルに対する前記チャネル品質基準に応じて再選択しきい値を変える手段と
を備えた無線通信システム。
【請求項１９】
アイドルモードにある間、サービングセルを識別して、間欠的に監視することと、
監視の合間に、前記サービングセルに対するチャネル品質基準を測定することと、
前記サービングセルに対するチャネル品質基準に基づいて、前記監視の合間に、隣接セルを探索するか否かを決定することと、
前記隣接セルが探索されるのであれば、前記サービングセルに対する前記チャネル品質基準に応じて再選択しきい値を変えることと
の各ステップを実行可能なプロセッサ読取可能な媒体。
【請求項２０】
請求項１に記載の装置において、
前記サービングセルに対するチャネル品質基準が予め定めた値を超える場合には、前記プロセッサは、前記隣接セルの探索をバイパスする装置。
【請求項２１】
請求項２に記載の装置において、
前記プロセッサは、複数の隣接セルの中から、最も高いチャネル品質基準を持つ隣接セルを、再選択のために特定する装置。
【請求項２２】
請求項１に記載の装置において、
前記プロセッサは、隣接セルが少なくとも一つの選択基準を満足した時間の長さを示すタイマに従って再選択を実行する装置。
【請求項２３】
アイドルモードにある間、間欠的に監視されるサービングセルに対するチャネル品質基準を生成し、再選択が実行される少なくとも一つの隣接セルに対する少なくとも一つのチャネル品質基準を生成するように動作する受信機と、
前記サービングセルに対するチャネル品質基準に基づいて、前記監視の合間に、隣接セルを探索するか否かを決定し、前記隣接セルが探索されるのであれば、前記サービングセルに対するチャネル品質基準に基づいて可変再選択しきい値を導出し、少なくとも一つの前記隣接セルの中から、最も高いチャネル品質基準を持つ隣接セルを特定し、前記最も高いチャネル品質が前記可変再選択しきい値よりも大きいのであれば、前記特定された隣接セルに対して再選択を実行するように動作するプロセッサと
を備えた装置。
【請求項２４】
請求項２３に記載の装置において、
前記受信機は、再選択が可能とされているのであれば、少なくとも一つの前記隣接セルに対する少なくとも一つのチャネル品質基準を生成するように動作し、前記プロセッサは、少なくとも一つの基準に基づいて、再選択を可能にするかを決定し、再選択が可能とされているのであれば、前記可変再選択しきい値を導出し、前記隣接セルを特定し、前記特定された隣接セルに対して再選択を実行するように動作する装置。
【請求項２５】
請求項２４に記載の装置において、
予め定めた期間について、必要とされる信号品質に対する基準が、予め定めたしきい値よりも小さいのであれば、前記プロセッサは、再選択を可能にするように動作する装置。
【請求項２６】
請求項２４に記載の装置において、
予め定めた期間について、必要とされる受信レベルに対する基準が、予め定めたしきい値よりも小さいのであれば、前記プロセッサは、再選択を可能にするように動作する装置。
【請求項２７】
請求項２３に記載の装置において、
前記特定された隣接セルが、予め定めた期間、少なくとも一つのセル選択基準を満足するのであれば、前記プロセッサは、前記特定された隣接セルに対する再選択を実行するように動作する装置。
【手続補正２】
【補正対象書類名】明細書
【補正対象項目名】０００４
【補正方法】変更
【補正の内容】
【０００４】
移動局が初めにシステムを取得するとき、一つ又は複数の利用可能な基地局又はセルが、移動局によって特定される。一般に、単一のセルはサービングセルとして選択される。移動局が音声コール又はデータセッションをアクティブに通信していない時、アイドルモードにあると言われる。移動局は、サービングセルからの信号を監視して、到来するコールのようなイベントが、移動局がアイドルモードから出る必要があるかを判定する。サービングセルと移動局との間の通信チャネルが変化すると、この移動局は、セルが未だに適切であるかを判定するために、チャネルを周期的にテストしなければならない。例えば、移動局が、システム内のセル間、或いは一つ又は複数の隣接システム間で移動すると、通信チャネルは変わるであろう。時々、新たなサービングセルが選択されるであろう。この処理は、Ｗ−ＣＤＭＡではセル再選択として、ＩＳ−９５又はｃｄｍａ２０００ではアイドルモードハンドオフとして知られている。
【手続補正３】
【補正対象書類名】明細書
【補正対象項目名】００２６
【補正方法】変更
【補正の内容】
【００２６】
信号強度推定器２８０は、受信機２２０に接続されており、例えば復調のように、通信で使用されるその他の処理で用いられるのと同様に、セル選択又は再選択処理で使用されるための種々のパワーレベル推定を行うために使用される。信号強度推定器２８０は、説明の明確化だけのためにディスクリートなブロックとして示されている。このようなブロックが、例えば受信機２２０や復調器２３０のような別のブロックに組み込まれることは一般的である。推定されるシステムタイプ又は信号に依存して、様々なタイプの信号強度推定器が作られうる。典型的な実施例では、一つ又は複数の基地局からの様々なパイロット信号は、後述するように信号強度推定のために使用される。一般に、任意のタイプのチャネル品質基準推定ブロックは、信号強度推定器２８０の代わりに使用することができ、本発明の範囲内である。後述するように、チャネル品質基準は、セル選択又は再選択に使用するためにプロセッサ２６０に渡される。
【手続補正４】
【補正対象書類名】明細書
【補正対象項目名】００３０
【補正方法】変更
【補正の内容】
【００３０】
判定ブロック３２０では、監視されたセットのサーチが必要であるか否かの判定がなされる。ある条件のもとで、この測定されたアクティブセットのエネルギーが十分であれば、この監視されたセットの中に示された別の基地局の品質を判定する必要はなく、処理を終了することができる。セル再選択は全く必要とされず、現在のアクティブセットがアクティブセットであり続ける。もしも監視されたセットのサーチが示されるならば、処理はステップ３３０に進む。ステップ３３０〜３７０は、本発明の原理に従って、過渡な再選択を避けるために限定されたセル再選択判断のために使用することができる。例えば、その一例を図５及び図６を用いて後述するように、追加サーチの必要性を判定するための様々な技術が当該技術分野では知られている。知られている、又は将来開発されうるあらゆる技術が、ここで記載されたセル再選択方法とともに使用することができる。
【手続補正５】
【補正対象書類名】明細書
【補正対象項目名】００４２
【補正方法】変更
【補正の内容】
【００４２】
典型的な実施例では、３つの別のタイプの監視されたセルが、セル再選択が進められるべきかを判定するためにサーチされるようにスケジュールされる（後述する）。もしもサービングセルのＳｑｕａｌ、Ｓｑｕａｌ，ｓがパラメータＳｉｎｔｒａｓｅａｒｃｈよりも下に下がれば、監視されたセルの周波数内測定がスケジュールされる。Ｓｉｎｔｒａｓｅａｒｃｈは、このシステムによって無線で特定される。典型的な実施例では、信号化されたＳｉｎｔｒａｓｅａｒｃｈとＳｍｉｎの最大値に設定することによってＳｉｎｔｒａｓｅａｒｃｈに発言権が設定されることに留意されたい。ここでは、Ｓｍｉｎが、ＣＰＩＣＨ  Ｅｃ／Ｎｏが−８ｄＢに設定されたＳｑｕａｌに対する式を用いて計算される。もしもＳｑｕａｌ，ｓがパラメータＳｉｎｔｒａｓｅａｒｃｈよりも下に下がれば、監視されたセルの周波数外測定がスケジュールされる。Ｓｉｎｔｒａｓｅａｒｃｈは、このシステムによって無線で信号伝送される。もしもＳｑｕａｌ，ｓがパラメータＳｉｎｔｅｒ−ＲＡＴよりも下に下がれば、代替の無線アクセス技術（ＲＡＴ）、即ち監視されたセルのＲＡＴ外測定がスケジュールされる。任意の別のシステムが本発明の範囲内でのサーチのためにスケジュールされうるが、ＲＡＴ外サーチの一例は隣接ＧＳＭセルをサーチすることである。監視されたセットは、任意の特定タイプのセルを含む必要はない。監視されたセットは、３タイプのサブセット又は任意の組み合わせを含む。丁度記載した３つのテストが満足であったにも関わらず、スケジュールされたセルのセットは、監視されたセットのサブセットでありうることになる。もしも上記基準のうちの何れかを満足する場合には、処理はステップ５１０に進み、後述するようにセル再選択が起こるかを判定する処理が開始される。上記いずれの基準も満足しない場合には、ステップ５５４に進み、無線リソースコントローラ（ＲＲＣ）が、セル再選択は必要ではないと信号化される。その後処理は停止することができる。
【手続補正６】
【補正対象書類名】明細書
【補正対象項目名】００４５
【補正方法】変更
【補正の内容】
【００４５】
ステップ５１４では、サーチされたそれぞれのセルについて、Ｑｍｅａｓ，ｎ−Ｑｏｆｆｓｅｔｎとして定義されるランキング値Ｒｎを計算する。Ｑｏｆｆｓｅｔｎは、システムによって無線で特定され、ステップ５１２に示すように、ＣＰＩＣＨ  ＲＳＣＰ又はＲＳＳＩ（ＧＳＭセルの場合）が、Ｑｍｅａｓ，ｎを計算するために使用される場合、Ｑｏｆｆｓｅｔ１ｎに設定される。また、以下に述べるステップ５４４に示すように、Ｑｏｆｆｓｅｔｎは、ＣＰＩＣＨ  Ｅｃ／ＩｏがＱｍｅａｓ，ｎを計算するために使用される場合、Ｑｏｆｆｓｅｔ２ｎに設定される。Ｑｏｆｆｓｅｔは、Ｑｏｆｆｓｅｔ１についてはｄＢｍで、Ｑｏｆｆｓｅｔ２についてはｄＢで特定される。Ｑｏｆｆｓｅｔの使用は、望ましくないセル再選択の減少を支援しうる一方、特定のパラメータの使用は、規格によって特定されていない。したがって、これは、セル再選択を効率的に制限するために用いられていない。更にこれは、サービングセルと移動局との間の通信チャネルの現在の状態に敏感ではない。よって、これはセル再選択感度のレベルの変化を与えるために適用することはできない。処理は判定ブロック５１６に進む。